(57)【要約】【課題】デジタルカメラを持ち歩かずに、撮影した写真の画像データを取得すること。【解決手段】第１の画像データ記憶手段２と、画像撮影手段３と、第１の制御手段４と、第１の無線通信手段５とを具備した定点設置型デジタルカメラ１と、第２の画像データ記憶手段７と、第２の制御手段８と、第２の無線通信手段８と、撮影を指示する撮影指示手段９とを具備した携帯型記憶手段６とで構成し、前記第１および第２の制御手段が作動して、撮影指示手段９への指示が行なわれた時点で、画像撮影手段３にて撮影して、第１の画像データ記憶手段２に記憶してから、第１およびの無線通信手段５および７を介して第２の画像データ記憶手段１１に記憶させる画像撮影システム。【選択図】図１
2007081620.tif 000002
【特許請求の範囲】
【請求項１】
第１の画像データ記憶手段と、画像撮影手段と、第１の制御手段と、第１の無線通信手段とを具備した定点設置型デジタルカメラと、
第２の画像データ記憶手段と、第２の制御手段と、第２の無線通信手段と、撮影を指示する撮影指示手段とを具備した携帯型記憶手段とで構成し、
前記第１および第２の制御手段が作動し、前記第１および第２の無線通信手段を介して、前記携帯型記憶手段において前記撮影指示手段への指示が行なわれた時点で、前記定点設置型デジタルカメラの前記画像撮影手段にて画像を撮影して、前記第１の画像データ記憶手段に記憶してから、前記第２の画像データ記憶手段に転送して記憶させる画像撮影システム。
【請求項２】
前記携帯型記憶手段が汎用インターフェイス（例えばシリアル、赤外線、電磁波）を具備して、前記第２の画像データ記憶手段に記憶した画像データを、前記汎用インターフェイスを介してプリンタなどの外部機器に出力する請求項１記載の画像撮影システム。
【請求項３】
前記携帯型記憶手段が画像を消去する消去指示手段を具備して、前記第２の画像データ記憶手段に記憶した画像データを消去できる請求項１または２記載の画像撮影システム。
【請求項４】
前記第１の制御手段が画像圧縮手段を具備し、前記第１の画像データ記憶手段に記憶されている画像データを、前記画像圧縮手段により画像圧縮を行った後に、前記第２の無線通信手段を介して前記第２の画像データ記憶手段に記憶させる請求項１〜３いずれか記載の画像撮影システム。
【請求項５】
請求項１〜４記載のいずれかの画像撮影システムにおいて、少なくとも一部をコンピュータに実行させるためのプログラム。
【発明の詳細な説明】
【技術分野】
【０００１】
本発明は、定点設置型デジタルカメラで撮影した画像データを、無線通信手段を介して手元の携帯型記憶手段に送信する画像撮影システムと、そのプログラムに関する。
【背景技術】
【０００２】
従来の銀塩フィルムを用いたカメラに代わって、デジタルカメラが使われており、さらには、動画撮影可能なビデオカメラも普及している。特に最近では、ビデオカメラを持ち歩かなくても、施設などに備え付けられたビデオカメラで自動的に対象者を含む動画を撮影し、画像サーバに蓄積させておき、インターネットを通じて、パソコンなどの個人所有の端末で閲覧するようなシステムも考案されている。
【特許文献１】特開２００３−１１６１２７号公報
【発明の開示】
【発明が解決しようとする課題】
【０００３】
しかしながら、この方法では、インターネットやパソコンなどの機器を使用することが必須となっているので、それらを所有していない、あるいは、それらの操作に不慣れな人にとっては使用することが困難であるという課題があった。
【課題を解決するための手段】
【０００４】
そこで、前記課題を解決するために、本発明の画像撮影システムと、そのプログラムにおいて、第１の画像データ記憶手段と、画像撮影手段と、第１の制御手段と、第１の無線通信手段とを具備した定点設置型デジタルカメラと、第２の画像データ記憶手段と、第２の制御手段と、第２の無線通信手段と、撮影を指示する撮影指示手段とを具備した携帯型記憶手段とで構成し、前記第１および第２の制御手段が作動し、前記第１および第２の無線通信手段を介して、前記携帯型記憶手段において前記撮影指示手段への指示が行なわれた時点で、前記定点設置型デジタルカメラの前記画像撮影手段にて画像を撮影して、前記第１の画像データ記憶手段に記憶してから、前記第２の画像データ記憶手段に転送して記憶させるようにした。
【発明の効果】
【０００５】
これにより、個人用のデジタルカメラを持ち歩くことなく携帯型記憶手段だけを持ち歩くだけで、例えば景勝地などに設置されている定点設置型デジタルカメラで撮影した画像データを、撮影したその場で手元の携帯型記憶手段に記憶しておくことが出来るので、インターネットに繋がっていない、あるいは、パソコンなどの機器を所有していない、あるいは、それらの操作に不慣れな人にとっても、その携帯型記憶手段をＤＰＥ店に持ち込んで容易にデジタル写真のプリントを得ることが可能となった。
【０００６】
特に、景勝地などに設備として備えるようなデジタルカメラは、業務用として高品質な製品を用いることが出来るので、普及型デジタルカメラでは到底得られないような高品質な画質を得るといったことが、携帯型記憶手段だけを持ち歩くだけで実現できる。
【０００７】
また、携帯型記憶手段は非常に小型でポケットに入るような形態で実現できるため、移動の際にもその存在を意識することがほとんどない状態で、デジタルカメラを持ち歩くといったことなしに、必要に応じてデジタル写真を撮影することが出来るので、スキー場などデジタルカメラを持ち歩きにくいような場所でも、自分自身を簡単に撮影できるようになり、利便性を教授できることになる。
【０００８】
昨今の無線ユニットの小型化、低価格化に伴い、記憶手段には必ず通信機能が実装されてくるような時代も控えており、ここで述べている仕組みにより、記憶手段だけを持ち歩き、画像データを得るというスタイルが実現できるようになる。
【発明を実施するための最良の形態】
【０００９】
第１の発明は、画像撮影システムにおいて、第１の画像データ記憶手段と、画像撮影手段と、第１の制御手段と、第１の無線通信手段とを具備した定点設置型デジタルカメラと、第２の画像データ記憶手段と、第２の制御手段と、第２の無線通信手段と、撮影を指示する撮影指示手段とを具備した携帯型記憶手段とで構成し、前記第１および第２の制御手段が作動し、前記第１および第２の無線通信手段を介して、前記携帯型記憶手段において前記撮影指示手段への指示が行なわれた時点で、前記定点設置型デジタルカメラの前記画像撮影手段にて画像を撮影して、前記第１の画像データ記憶手段に記憶してから、前記第２の画像データ記憶手段に転送して記憶させるようにした。
【００１０】
これにより、個人用のデジタルカメラを持ち歩くことなく携帯型記憶手段だけを持ち歩くだけで、例えば景勝地などに設置されている定点設置型デジタルカメラで撮影した画像データを、撮影したその場で手元の携帯型記憶手段に記憶しておくことが出来るので、インターネットに繋がっていない、あるいは、パソコンなどの機器を所有していない、あるいは、それらの操作に不慣れな人にとっても、その携帯型記憶手段をＤＰＥ店に持ち込んで容易にデジタル写真のプリントを得ることが可能となった。
【００１１】
特に、景勝地などに設備として備えるようなデジタルカメラは、業務用として高品質な製品を用いることが出来るので、普及型デジタルカメラでは到底得られないような高品質な画質を得るといったことが、携帯型記憶手段だけを持ち歩くだけで実現できる。
【００１２】
また、携帯型記憶手段は非常に小型でポケットに入るような形態で実現できるため、移動の際にもその存在を意識することがほとんどない状態で、デジタルカメラを持ち歩くといったことなしに、必要に応じてデジタル写真を撮影することが出来るので、スキー場などデジタルカメラを持ち歩きにくいような場所でも、自分自身を簡単に撮影できるようになり、利便性を教授できることになる。
【００１３】
第２の発明は、特に第１の発明の画像撮影システムにおいて、前記携帯型記憶手段が汎用インターフェイス（例えばシリアル、赤外線、電磁波）を具備して、前記第２の画像データ記憶手段に記憶した画像データを、前記汎用インターフェイスを介してプリンタなどの外部機器に出力するようにした。
【００１４】
これにより、携帯型記憶手段に記憶した画像データをプリンタ（汎用インターフェイスを具備）に挿入する、あるいは近づけるだけで、画像データをプリンタに送信し、インターネットやパソコンなどを所有していなくても、容易にデジタル写真のプリントを得ることが出来る。
【００１５】
第３の発明は、特に第１または第２の発明の画像撮影システムにおいて、前記携帯型記憶手段が画像を消去する消去指示手段を具備して、前記第２の画像データ記憶手段に記憶した画像データを消去できるようにした。
【００１６】
これにより、撮影時に動いてしまった、あるいは、撮影した瞬間に他人が入ってしまったような失敗作をその場で消去することが出来るので記憶手段を有効に利用できる。
【００１７】
第４の発明は、特に第１〜３のいずれかの発明の画像撮影システムにおいて、前記第１の制御手段が画像圧縮手段を具備し、前記第１の画像データ記憶手段に記憶されている画
像データを、前記画像圧縮手段により画像圧縮を行った後に、前記第２の無線通信手段を介して前記第２の画像データ記憶手段に記憶させるようにした。
【００１８】
これにより、定点設置型デジタルカメラと、携帯型記憶手段との間で、画像データを通信する時間を短くするとともに、携帯型記憶手段に記録可能なデジタルカメラ写真の枚数を２倍以上に増やすことが期待できる。
【００１９】
第５の発明は、特に第１〜４のいずれかの発明の画像撮影システムにおいて、少なくとも一部をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の少なくとも一部をプログラムとして容易に実現することができる。また記録媒体に記録あるいは、通信回線を用いてプログラム配信することにより、プログラム配布が他の手段に比べて極めて簡単に実現できる。
【００２０】
以下、本発明の実施の形態について、図面を用いて一実施形態について詳細に説明する。なお、この実施の形態によって本発明が限定されるものではない。
【００２１】
（実施の形態１）
定点設置型デジタルカメラ１は、景勝地、展望台、遊園地といった記念写真を撮影するような場所に設置しておくことを想定している。定点設置型デジタルカメラ１は、第１の画像データ記憶手段２と、画像撮影手段３と、第１の制御手段４と、第１の無線通信手段とを具備している。
【００２２】
なお、第１の制御手段４は画像圧縮手段を内部に具備しており、第１の画像データ記憶手段２に記録されている画像データを圧縮することが出来る。
【００２３】
第１の無線通信手段５は、一般的にサイズの大きな（例えば画像圧縮後でも３メガバイトの）画像データを通信するため、無線ＬＡＮのように広い帯域（例えば５４Ｍｂｐｓ）のものが好ましい。
【００２４】
携帯型記憶手段６は、非常に小型でポケットに入るような形態を想定しており、第２の無線手段７と、第２の制御手段８と、使用者が撮影したい時にトリガを与える撮影指示手段９と、使用者が画像データを消去したい時にトリガを与える消去指示手段１０と、定点設置型デジタルカメラ１より送られてきた画像データを記憶しておく第２の画像データ記憶手段１１と、プリンタなどの外部機器に画像データを出力するための汎用インターフェイス１２とを具備している。
【００２５】
以上の画像撮影システムにより、デジタルカメラを持ち歩くことなく、旅先などの景勝地で、そこに設置されている定点設置型デジタルカメラ１を携帯型記憶手段６から操作して写真を撮影し、その場で画像データを無線通信で取得して、携帯型記憶手段６にて持ち帰り、ＤＰＥショップでデジタル写真のプリントを行うといったことが基本的な動作の流れである。
【００２６】
すなわちデジタルカメラを持ち歩かなくても、撮影したいと思った場所に定点設置型デジタルカメラ１があった場合には、使用者がポーズを取って、手持ちの携帯型記憶手段６の撮影指示手段９を操作して、第２および第１の無線通信手段７、および５を介して、定点設置型デジタルカメラ１に対して撮影要求を出す。
【００２７】
ちなみに、従来の特許文献１で示したようにカメラが自動的に撮影するような仕組みも技術的には可能ではあるものの、特に静止画撮影においては撮影タイミングが非常に重要
であり、その撮影タイミングは被写体である使用者が決定するということが必須となっており、ここでは撮影指示手段９を具備している。
【００２８】
この撮影要求を第１の無線通信手段１で受けた定点設置型デジタルカメラ１では、第１の制御手段４が以降の一連の動作を進めていくことになる。すなわち、画像撮影手段４に対して、撮影指示を行ない、画像撮影手段４で得られたデジタル画像データを一旦そのまま第１の画像データ記憶手段２に記録しておく。このままの状態でも構わないが、一般にデジタル画像データはサイズが非常に大きく扱いにくく１０メガバイト以上のサイズであったりするので画像圧縮処理を施して、データサイズを半分から１割程度までに圧縮することになる。
【００２９】
第１の制御手段４は内部に画像圧縮手段を具備しており、上述したような画像の圧縮処理を行ない、第１の画像データ記憶手段２の内容を圧縮されたデータに書き換える。
【００３０】
このような経緯で圧縮された画像データが第１の無線通信手段５を介して、携帯型記憶手段６に送信される。携帯型記憶手段６においては、画像データを第２の無線通信手段７にて受信し、第２の制御手段８を介して、第２の画像データ記憶手段１１に記憶される。
【００３１】
第２の画像データ記憶手段１１は、フラッシュメモリーが一般的で、サイズも５１２メガバイトあるいは１ギガバイトといった大容量を想定しているが、バッテリーバックアップされたＲＡＭのようなものであってももちろん構わない。
【００３２】
デジタルカメラを持たずに旅先で撮影して取得した画像データは、携帯型記憶手段６の第２の画像データ記憶手段１１に記録されており、この携帯型記憶手段６をＤＰＥショップに持ち込むと、汎用インターフェイス１２を介して、専用プリンタなどにデータを転送してデジタル写真のプリントを行なってもらうといったことが可能である。
【００３３】
もちろん、ＤＰＥショップではなくて自宅などに汎用インターフェイス１２と接続できるようなプリンタがあれば、そのプリンタでデジタル写真のプリントを行なっても構わない。また、プリンタの代わりにハードディスクのような大容量記憶手段にデータを移動しておくといったことも可能である。
【００３４】
なお、ここでいうところの汎用インターフェイス１２とは、例えば、ＲＳ２３２であったり、ＵＳＢであったり、赤外線であったり、無線インターフェイスであったりしても構わない。データの読み出しは、プリンタなどの外部機器が、汎用インターフェイス１２を介して、第２の制御手段８にデータ読み出しコマンドを送り、第２の画像データ記憶手段に記憶されている画像データを分割、もしくは一括で外部機器に対して送信するといった方法が考えられる。
【００３５】
さらには、汎用インターフェイス１２を介してプリンタなどの外部機器とデータ通信するのではなく、それらの外部機器が携帯型記憶手段６と通信可能な無線通信手段を具備しておれば、第２の無線通信手段７を介して画像データを伝送するといったことも考えられる（この場合は、汎用インターフェイス１２が不要となる）。
【００３６】
なお、本実施の形態で説明した制御手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【００３７】
なお、本実施の形態では画像像撮影として説明したが、動画であってももちろん構わないし、定点設置型デジタルカメラということで、ある一箇所に固定されているデジタルカメラではなくて、ゴルフ場で動くカートに乗せた移動式であっても、もちろん構わないし、同等の効果を得ることが期待できる。
【００３８】
また、従来の特許文献１の動画とは異なり、静止画であるのでベストショットを狙う必要がある。そのため、定点設置型デジタルカメラ１の撮影エリアに近づいたときに、その旨を使用者に知らせてもよい。
【００３９】
例えば、定点設置型デジタルカメラ１の第１の無線通信手段５から定期的に通知信号が送信され、携帯型記憶手段６の第２の受信手段７がそれを受信すると使用者に報知する。
【００４０】
このとき、定点設置型のデジタルカメラの設置位置に関する情報を通知信号に含めてもよい。
【００４１】
例えば、音声情報にて「カメラは時計台のところに設置されています」などである。あるいは、カメラの設置位置を示す画像情報や文字情報であって、携帯型記憶手段の備える表示手段（図示せず）で表示してもよい。また、そのときに定点設置型デジタルカメラから撮影した画像の一例を送って撮影アングルを使用者に教えてもよい。これを見て使用者はポーズをとる。
【００４２】
なお、携帯型記憶手段は、記憶媒体や記録手段を内蔵した携帯電話や携帯情報端末であっても構わない。
【産業上の利用可能性】
【００４３】
以上のように、本発明の画像撮影システムにおいて、設備としてのデジタルカメラと携帯型記憶手段により、利用者はデジタルカメラとを持ち歩くことなく、携帯型記憶手段を持ち歩くだけで、写真を撮影し、その画像データを取得するというサービスを実現することが可能となった。
【図面の簡単な説明】
【００４４】
【図１】本発明の実施の形態１における画像撮影システムの構成の一例図
【符号の説明】
【００４５】
１  定点設置型デジタルカメラ
２  第１の画像データ記憶手段
３  画像撮影手段
４  第１の制御手段（画像圧縮手段）
５  第１の無線通信手段
６  携帯型記憶手段
７  第２の無線通信手段
８  第２の制御手段
９  撮影指示手段
１０  消去手段
１１  第２の画像データ記憶手段
１２  汎用インターフェイス
【図１】
2007081620.tif 000003